(57)【要約】【課題】  屋外側から方立や無目がスリムに見えてシャープな外観を呈するパネル体を低コストで提供すること。【解決手段】パネル１ａ，１ｂと、左右のパネルの間に位置する中間方立材２と、中間方立材の屋外側に取付けた竪押縁３と、竪目板４とを備え、竪押縁は、左側パネル押さえ片５と、右側パネル押さえ片６と、両パネル押さえ片の基端部屋外側面に位置する目地溝７とを有し、竪目板は、屋外側面が竪押縁の屋外側面より濃い色調としてあり且つ係合により目地溝底の屋外側面長手方向に配置してある。【選択図】      図１
2006342635.tif 000002
【特許請求の範囲】
【請求項１】
パネルと、左右のパネルの間に位置する中間方立材と、中間方立材の屋外側に取付けた竪押縁と、竪目板とを備え、竪押縁は、左側パネル押さえ片と、右側パネル押さえ片と、両パネル押さえ片の基端部屋外側面に位置する目地溝とを有し、竪目板は、屋外側面が竪押縁の屋外側面より濃い色調としてあり且つ係合により目地溝底の屋外側面長手方向に配置してあることを特徴とするパネル体。
【請求項２】
パネルと、パネルの側端面と対向して位置する端部方立材と、端部方立材のパネルと反対側の側面に取付けた方立補助材と、端部方立材のパネル側の側面に取付けた竪目板と、パネル押さえ片を有し且つ竪目板に取付けてパネル側に配置する竪押縁とを備え、竪目板は、方立補助材及び竪押縁の屋外側面より濃い色調とした屋外側壁を有するものであり、方立補助材は、端部方立材及び竪目板よりも屋外側に位置すると共に端部方立材の屋外側面に連続する見込み壁を有し、竪押縁は、端部方立材及び竪目板よりも屋外側に位置すると共にパネル押さえ片の基端部と連続する見込み壁を有し、見込み壁は竪目板の屋外側壁の端面に当接しており、方立補助材の見込み壁と竪押縁の見込み壁と竪目板の屋外側壁とで目地溝を形成してあることを特徴とするパネル体。
【請求項３】
パネルと、上下のパネルの間に位置する無目材と、無目材の上面に取付けた横目板と、横目板に取付けた横押縁とを備え、無目材は、屋外側端部に下方に垂下して設けた垂下壁と、垂下壁から屋外側に突設した見込み壁と、見込み壁に連続した下パネル押さえ片とを有し、横目板は、背面が垂下壁の屋外側面に当接し且つ上端が横押縁を支持する屋外側壁を有し、横押縁は、横目板に支持された見込み壁と、見込み壁から連続する上パネル押さえ片とを有し、無目材の見込み壁と横押縁の見込み壁と横目板の屋外側壁とで目地溝を形成しており、横目板の屋外側壁が無目材及び横押縁の屋外側面より濃い色調としてあることを特徴とするパネル体。
【発明の詳細な説明】
【技術分野】
【０００１】
本発明は、方立と無目とによって形成した枠内にガラス等のパネルを取付けたパネル体に関するものである。
【背景技術】
【０００２】
ビル等の壁開口部に取付けられるサッシ、カーテンウォール等のパネル体においては、屋外側から見て方立と無目がスリムに見えるシャープな外観が好まれる。非特許文献１には、方立と無目の屋外側見付面の中央部に長手方向に沿って目地溝を形成したものが記載されている。このように目地溝を形成することで、方立と無目の屋外側見付面が目地溝により左右または上下に分かれて見えるので、方立や無目をスリムに見せる作用がある。また特許文献１には、方立の屋外側見付面の中央部に長手方向に沿って溝を形成し、その溝を埋める形でブロンズ色等の暗色よりなる目地プレートを取付けたものが記載されている。このようにすることで、暗色の目地プレートをアルミ製の方立見付面よりも目立たせて、方立をスリムに見せようとしている。
【非特許文献１】アームスｖｏｌ．４カタログ、三協アルミニウム工業株式会社、平成１６年１１月、ｐ．０６−０７，ｐ．１８
【特許文献１】特開平３−１１０２８４号公報
【発明の開示】
【発明が解決しようとする課題】
【０００３】
しかし、非特許文献１記載のように、方立と無目の屋外側見付面に単に目地溝を形成しただけでは、目地溝の溝底面が見付面の他の部分と同じアルミの白っぽい色で光をよく反射するため、目地溝内部に影が生じないときには目地溝がさほど強調されず、方立や無目をスリムに見せる効果があまり期待できない。目地溝の溝底面を塗装等により暗い色に着色すれば、方立や無目をスリムに見せる効果がより確実となるが、奥まった目地溝の溝底面のみを着色するのは作業が非常にしづらく、コストも高くなる。一方、特許文献１記載のものは、目地プレートの表面が方立見付面と同一平面上にあり、色の違いだけで方立をスリムに見せようとしているため、十分な効果が得られない。
本発明は以上に述べた実情に鑑み、方立や無目がスリムに見えてシャープな外観を呈するパネル体を低コストで提供することを目的とする。
【課題を解決するための手段】
【０００４】
上記の課題を達成するために請求項１記載の発明によるパネル体は、パネルと、左右のパネルの間に位置する中間方立材と、中間方立材の屋外側に取付けた竪押縁と、竪目板とを備え、竪押縁は、左側パネル押さえ片と、右側パネル押さえ片と、両パネル押さえ片の基端部屋外側面に位置する目地溝とを有し、竪目板は、屋外側面が竪押縁の屋外側面より濃い色調としてあり且つ係合により目地溝底の屋外側面長手方向に配置してあることを特徴とする。
【０００５】
請求項２記載の発明によるパネル体は、パネルと、パネルの側端面と対向して位置する端部方立材と、端部方立材のパネルと反対側の側面に取付けた方立補助材と、端部方立材のパネル側の側面に取付けた竪目板と、パネル押さえ片を有し且つ竪目板に取付けてパネル側に配置する竪押縁とを備え、竪目板は、方立補助材及び竪押縁の屋外側面より濃い色調とした屋外側壁を有するものであり、方立補助材は、端部方立材及び竪目板よりも屋外側に位置すると共に端部方立材の屋外側面に連続する見込み壁を有し、竪押縁は、端部方立材及び竪目板よりも屋外側に位置すると共にパネル押さえ片の基端部と連続する見込み壁を有し、見込み壁は竪目板の屋外側壁の端面に当接しており、方立補助材の見込み壁と竪押縁の見込み壁と竪目板の屋外側壁とで目地溝を形成してあることを特徴とする。
【０００６】
請求項３記載の発明によるパネル体は、パネルと、上下のパネルの間に位置する無目材と、無目材の上面に取付けた横目板と、横目板に取付けた横押縁とを備え、無目材は、屋外側端部に下方に垂下して設けた垂下壁と、垂下壁から屋外側に突設した見込み壁と、見込み壁に連続した下パネル押さえ片とを有し、横目板は、背面が垂下壁の屋外側面に当接し且つ上端が横押縁を支持する屋外側壁を有し、横押縁は、横目板に支持された見込み壁と、見込み壁から連続する上パネル押さえ片とを有し、無目材の見込み壁と横押縁の見込み壁と横目板の屋外側壁とで目地溝を形成しており、横目板の屋外側壁が無目材及び横押縁の屋外側面より濃い色調としてあることを特徴とする。
【発明の効果】
【０００７】
請求項１記載の発明によるパネル体は、中間方立材の屋外側に取付けた竪押縁の左右パネル押さえ片の基端部屋外側面に目地溝を有し、屋外側面が竪押縁の屋外側面より濃い色調となった竪目板を係合により目地溝底の屋外側面長手方向に配置してあるので、屋内外方向の面の出入りと色調のコントラストとにより、竪押縁の左右パネル押さえ片をよりスリムに見せることとなり、シャープな外観とすることができる。しかも本発明のパネル体は、竪目板を他の部材と分離した状態でその屋外側面を塗装等により着色すればよく、竪押縁の目地溝底面を着色するよりも着色作業が格段に容易であり、また竪目板は目地溝に係合して簡単に取付けできるので、施工が容易であると共に低コストである。
【０００８】
請求項２記載の発明によるパネル体は、方立補助材の見込み壁と竪押縁の見込み壁と竪目板の屋外側壁とで目地溝を形成してあり、目地溝の溝底面にあたる竪目板の屋外側壁を方立補助材及び竪押縁の屋外側面より濃い色調としてあるので、屋内外方向の面の出入りと色調のコントラストとにより、方立補助材と竪押縁のパネル押さえ片をよりスリムに見せることとなり、シャープな外観とすることができる。しかも本発明のパネル体は、竪目板を他の部材と分離した状態でその屋外側壁を塗装等により着色すればよいため、着色作業が極めて容易であり、後はこの竪目板を端部方立材に取付けるだけで実施できるので、施工が容易であると共に低コストである。
【０００９】
請求項３記載の発明によるパネル体は、無目材の見込み壁と横押縁の見込み壁と横目板の屋外側壁とで目地溝を形成しており、目地溝の溝底面にあたる横目板の屋外側壁を無目材及び横押縁の屋外側面より濃い色調としてあるので、屋内外方向の面の出入りと色調のコントラストとにより、無目材と横押縁のパネル押さえ片をよりスリムに見せることとなり、シャープな外観とすることができる。しかも本発明のパネル体は、横目板を他の部材と分離した状態でその屋外側壁を塗装等により着色すればよいため、着色作業が極めて容易であり、後はこの横目板を無目材に取付けるだけで実施できるので、施工が容易であると共に低コストである。
【発明を実施するための最良の形態】
【００１０】
以下、本発明の実施の形態を図面に基づいて説明する。図１から図７は、本発明のパネル体の一実施形態を示しており、図７は屋外側から見た正面図、図１は図７のＡ−Ａ断面図、図２は図７のＢ−Ｂ断面図、図３は図７のＣ−Ｃ断面図、図４は図７のＤ−Ｄ断面図、図５は端部方立と中間無目との交差部の斜視図、図６は中間方立と中間無目との交差部の斜視図である。本パネル体は、ビルの外壁に形成した開口部に取付けられる大型のビル用サッシであり、図７に示すように、左右の端部方立２７，２７と、上部無目２８と、下部無目２９とで外周枠が形成され、その内側に竪桟としての中間方立３０と横桟としての中間無目３１を配置して外周枠内が四つに区画され、区画された四つの枠内にガラスパネル１ａ，１ａ，１ｂ，１ｂをそれぞれ嵌め殺し状に取付けている。
【００１１】
中間方立３０は、図１に示すように、屋内側に配置した木製の支柱３２と、支柱の屋外側面に取付けたアルミ製の中間方立材２と、中間方立材屋内側の両側面に取付けた屋内側パネル支持材３３，３３と、中間方立材２の屋外側端部に取付けた竪押縁３と、竪押縁３の屋外側面に形成した目地溝７に取付けた竪目板４とで構成してある。
支柱３２は、屋外側面に長手方向に沿って溝３４が形成され、該溝内にアルミ製のレール状の取付材３５を配置してネジ３６で固定してある。取付材３５は、屋外側面に複数の鉤形の係合片３７が長手方向に沿って形成してある。
中間方立材２は、屋内側に設けた中空の柱状部３８と、柱状部３８の屋外側面より左右のガラスパネル１ａ，１ａの間にのびる見込み壁３９とを有している。柱状部３８は、屋内側面に鉤形の係合片４０を有し、この係合片４０を支柱の取付材３５の係合片３７と係合した上で取付材３５にビス４１で固定している。柱状部３８の両側面には、屋内側パネル支持材３３を係合取付するための鉤形の係合片４２が複数形成されている。見込み壁３９は、左側面の先端部と中間部とに屋内側に向けて鉤形の係合片４３を形成してある。
屋内側パネル支持材３３は、木製の本体部４４の方立側の面にアルミ製の取付材４５をビス止めしたものであり、取付材４５に形成した鉤形の係合片を中間方立材柱状部側面の係合片４２と係合することにより取付けている。
竪押縁３は、アルミニウム合金の押出形材よりなり、屋外側に位置する左側パネル押さえ片５及び右側パネル押さえ片６と、屋内側に向けてのびる連結片部４６とで断面略Ｔ字状に形成され、連結片部４６に形成した鉤形の係合片４７を中間方立材２の見込み壁３９の係合片４３と係合することにより、中間方立材２に屋外側から係合取付けしている。両パネル押さえ片５，６の基端部９７，９７間の屋外側面には、目地溝７が長手方向に形成してある。目地溝７は、溝入口側の幅が狭く、溝底部の幅が広くなった形状となっており、溝底面の中央部に凹溝４８を有している。
竪目板４は、アルミニウム合金の押出形材で断面コ字形に形成され、目地溝７の溝底部に係合により取付けてある。竪目板４の屋内側面には凸条４９が形成してあり、凸条４９が目地溝の凹溝４８と係合している。竪目板４の屋外側面には、黒色の塗装被膜５０を形成してある。
【００１２】
端部方立２７は、図２に示すように、屋内側に配置した木製の支柱５１と、支柱の屋外側面に取付たアルミ製の端部方立材８と、屋内側パネル支持材５２と、屋内側パネル支持材取付用の取付材５３と、端部方立材８のガラスパネル１ａと反対側（枠外周側）の側面に取付けた方立補助材９と、端部方立材８のガラスパネル１ａ側（枠内周側）の側面の屋外側端部に取付けた竪目板１０と、竪目板１０に取付けてガラスパネル１ａ側に配置した竪押縁１１とで構成してある。
支柱５１は、中間方立３０の支柱３２と同じものであり、屋外側面にアルミ製の取付材３５を有している。
端部方立材８は、屋内側壁５４と、ガラスパネル１ａの側端面と対向して延びる見込み壁５５とで略Ｔ字状に形成され、屋内側壁５４に形成した係合片５６を支柱の取付材３５の係合片３７と係合し、屋内側壁５４を取付材３５にネジ止めしてある。屋内側壁５４の枠外周側端部には、屋外側に向けて方立補助材のネジ止め片５７が形成してあり、見込み壁５５の枠外周側面には、方立補助材９と係合する係合片５８を形成してある。
屋内側パネル支持材５２は、中間方立３０のものと同様であり、支柱屋外側の取付材３５に取付けた屋内側パネル支持材取付用の取付材５３に係合取付されている。
方立補助材９は、アルミニウム合金押出形材により矩形中空状に形成され、屋内側に突出形成したネジ止め片５９を端部方立材８のネジ止め片５７にネジ止めすると共に、枠内周側面に形成した係合片６０を端部方立材８の見込み壁の係合片５８と係合して取付けている。方立補助材９は、枠内周側の側面の屋外側端部に塞ぎ材取付部６１が突出形成してあり、塞ぎ材取付部６１に取付けた塞ぎ材６２を端部方立材８の屋外側面に当接している。塞ぎ材取付部６１を形成している枠内周側の見込み壁１４は、端部方立材８及び竪目板１０よりも屋外側に位置し且つ端部方立材８の屋外側面に連続している。
竪目板１０は、アルミニウム合金の押出形材よりなり、屋外側壁１３と、屋内側に位置する押縁係止溝部６３と、これらを繋ぐ見込み壁６４とを有しており、見込み壁６４を端部方立材８の見込み壁５５の枠内周側面に当接してビス６５で固定してある。竪目板１０の屋外側壁１３は、端部方立材８の屋外側壁と連続しており、竪目板屋外側壁１３の屋外側面には、黒色の塗装被膜６６を形成してある。
竪押縁１１は、アルミニウム合金の押出形材よりなり、パネル押さえ片１２と、パネル押さえ片１２の基端部９５と連続する見込み壁１５と、見込み壁１５の屋内側端部より屋内側に向けてのびる取付片６６とを有している。見込み壁１５の枠外周側面には、コ字形の凹溝部６７が形成され、竪押縁１１は、取付片６６の先端部を竪目板１０の押縁係止溝部６３に挿入係止すると共に、凹溝部６７内の屋内側に竪目板１０の屋外側壁１３の先端部を引っ掛けて竪目板１０に取付けており、竪押縁１１の見込み壁１５が竪目板１０の屋外側壁１３の屋外側に位置している。
方立補助材９の見込み壁１４と、竪目板１０の屋外側壁１３と、竪押縁１１の見込み壁１５とにより、目地溝１６を形成している。目地溝１６の開口幅は、中間方立３０の竪押縁３屋外側面に形成した目地溝７の開口幅と同じになっている。また、竪押縁１１のパネル押さえ片１２の見付寸法と方立補助材９の見付寸法は、中間方立３０の竪押縁３の左右のパネル押さえ片５，６の見付寸法と同じにしてある。
【００１３】
中間無目３１は、図３に示すように、屋内側に配置した木製の支持材６８と、支持材６８の屋外側面に取付けたアルミ製の中間無目材１７と、中間無目材１７の屋内側下面に取付けた屋内側パネル支持材６９と、中間無目材１７の屋外側端部上面に取付けた横目板１８と、横目板１８に取付けた横押縁１９とで構成してある。
支持材６８は、方立の支柱３２と同様に、屋外側面に形成した溝３４内にアルミ製の取付材３５をネジ３６で取付けたものである。
中間無目材１７は、屋内側に矩形の中空部７０を有し、中空部７０の屋内側壁に形成した係合片７１を、支持材の取付材３５の係合片３７と係合してビス４１で固定してある。中空部７０の屋外側壁は、上側のガラスパネル１ａの屋内側面を支持している。中空部７０の下壁には、屋内側パネル支持材６９を係合取付するための係合片７２が形成してある。屋内側パネル支持材６９は、この係合片７２に係合して取付けられ、下側のガラスパネル１ｂの屋内側面を支持している。また中間無目材１７は、中空部７０の下壁に連続して上下のガラスパネル１ａ，１ｂの間から屋外側にのびる見込み壁７３を有しており、該見込み壁７３の屋外側端部には下方に垂下して垂下壁２０が形成され、垂下壁２０の下端部より屋外側に向けて下部見込み壁２１が形成され、さらに下部見込み壁２１の屋外側端部より下方に垂下して、下側のガラスパネル１ｂの屋外側面を押さえる下パネル押さえ片２２を形成してある。
横目板１８は、アルミニウム合金の押出形材よりなり、背面が中間無目材１７の垂下壁２０に当接し且つ上端に横押縁１９を支持する屋外側壁２３と、中間無目材１７の見込み壁７３に重ねてビス７４で固定される見込み壁７５とを有している。見込み壁７５の屋内側端部上面には、押縁係止溝部７６が形成してある。横目板屋外側壁２３の屋外側面には、黒色の塗装被膜７７を形成してある。
横押縁１９は、アルミニウム合金の押出形材よりなり、上側のガラスパネル１ａの屋外側面を押さえる上パネル押さえ片２５と、上パネル押さえ片２５の基端部９６と連続する見込み壁２４と、見込み壁２４の屋内側端部より屋内側に向けてのびる取付片７８とを有している。見込み壁２４の下面には、コ字形の凹溝部７９が形成され、横押縁１９は、取付片７８の先端部を横目板１８の押縁係止溝部７６に挿入係止すると共に、凹溝部７９内に横目板１８の屋外側壁２３の上端を係止して支持してある。
中間無目材１７の下部見込み壁２１と、横目板１８の屋外側壁２３と、横押縁１９の見込み壁２４とにより、目地溝２６を形成している。この目地溝２６の開口幅も、中間方立３０の竪押縁３の目地溝７の開口幅と同じにしてあり、中間無目材１７の下パネル押さえ片２２と横押縁１９の上パネル押さえ片２５の見付寸法は、中間方立３０の竪押縁３の左右パネル押さえ片５，６の見付寸法と同一となっている。
【００１４】
端部方立２７の端部方立材８は、上部無目２８から下部無目２９まで連続しており、図５に示すように、端部方立材８の見込壁５５に中間無目材１７の端面を当接し、枠外周側からビス８０で固定してある。端部方立２７の方立補助材９は、中間無目３１を配置した高さ位置で上下に分割され、上下の方立補助材９，９の間の隙間をコーキング材８１で埋めてある。端部方立２７の竪押縁１１と屋内側パネル支持材５２は、中間無目３１の上下で分割されている。中間方立３０の中間方立材２、屋内側パネル支持材３３、竪押縁３は、図６に示すように、それぞれ中間無目３１の上下で分割されている。中間無目３１の中間無目材１７は、左右の端部方立２７，２７間で連続する部材であるが、その下パネル押さえ片２２には、中間方立３０の目地溝７と連続する切り欠き８２を設けてあり、切り欠き内部にコーキング材８３を充填してある。中間無目３１の横押縁１９は、中間方立３０の目地溝７の左右で分割してあり、左右の横押縁１９，１９の隙間にコーキング材８３を充填している。                
【００１５】
上部無目２８は、図４に示すように、屋内側に木製の支持材８４を有し、支持材８４の屋外側面にアルミ製の上部無目材８５が取付けてあり、上部無目材下面の屋内側に係合取付した屋内側パネル支持材８６と上部無目材の屋外側端部に形成したパネル押さえ片８７とで、上側のガラスパネル１ａの上縁部を挟持している。上部無目材８５の見込み壁の上面には無目補助材９３が取付けてあり、上部無目材８５と無目補助材９３とで、中間無目３１の目地溝２６とほぼ同じ形状の目地溝８８を形成している。下部無目２９は、左右の端部方立２７，２７間で連続するアルミ製の下部無目材８９と、下部無目材８９の屋外側に取付けた横押縁９０とで構成され、下側のガラスパネル１ｂの下縁部を挟持している。下部無目材８９は、端部方立２７と中間方立３０の支柱５１，３２の屋外側面にブラケット９４で固定してある。
【００１６】
次に、本パネル体の施工手順を簡単に述べる。まず端部方立２７と中間方立３０の支柱５１，３２を、図４に示すように、上端部と下端部をファスナ９１ａ，９１ｂで躯体９２ａ，９２ｂにそれぞれ固定して立設する。次に、支柱間に中間無目３１と上部無目２８の支持材６８，８４と、下部無目材８９を架設する。次に、支持材６８，８４に中間無目材１７と上部無目材８５をそれぞれ取付け、支柱５１，３２に端部方立材８と中間方立材２をそれぞれ取付ける。なお、中間無目材１７には予め横目板１８を取付けておき、端部方立材８には予め竪目板１０を取付けておく。次に、上部無目材８５、中間無目材１７、端部方立材８、中間方立材２にそれぞれ屋内側パネル支持材８６，６９，５２，３３を取付けた後、屋外側からガラスパネル１ａ，１ｂを各枠内に配置する。次に、屋外側から横押縁１９，９０、竪押縁３，１１を取付け、ガラスパネル１ａ，１ｂ周縁部を枠に固定する。なお、中間方立３０の竪押縁３には予め竪目板４を取付けておく。
【００１７】
本パネル体は以上のように構成され、中間方立３０と端部方立２７と中間無目３１の屋外側面の中央部に長手方向に沿って目地溝７，１６，２６がそれぞれ形成され、さらに各目地溝の底面には黒色の塗装被膜５０，６６，７７を形成してあることから、目地溝の両側に位置するアルミの白っぽい色となった中間方立３０の左右パネル押さえ片５，６、端部方立２７のパネル押さえ片１２と方立補助材９、及び中間無目３１の上下のパネル押さえ片２２，２５をより一層スリムに見せることとなり、シャープな外観となる。また、竪目板４，１０と横目板１８の屋外側面だけに黒色の塗装を施すので、塗装作業が容易であると共にコストを低く抑えられる。さらに本パネル体は、方立２７，３０と無目２８，３１の屋内側に木製の支柱５１，３２と支持材８４，６８を配置して、無機質なアルミ製部材が見えないようにしているので、屋内側の意匠は屋外側とは対照的な温かみのあるものとなっている。
【００１８】
本発明は、以上に述べた実施形態に限定されない。中間方立の竪目板の屋外側面は、竪押縁の屋外側面よりも濃い色調となっていればよく、端部方立の竪目板の屋外側壁は、方立補助材及び竪押縁の屋外側面より濃い色調となっていればよく、中間無目の横目板の屋外側壁は、無目材及び横押縁の屋外側面より濃い色調となっていればよく、それぞれ具体的な色は黒色に限定されず、例えば茶色や灰色等であってもよい。また、そのように竪目板と横目板の屋外側壁を濃い色調とするために、塗装によらずに、黒色のフィルムをラミネート接着等により貼り付けてもよいし、竪目板と横目板自体を黒色の合成樹脂により形成してもよい。
【図面の簡単な説明】
【００１９】
【図１】図７におけるＡ−Ａ断面図である。
【図２】図７におけるＢ−Ｂ断面図である。
【図３】図７におけるＣ−Ｃ断面図である。
【図４】図７におけるＤ−Ｄ断面図である。
【図５】端部方立と中間無目とが交差する部分の斜視図である。
【図６】中間方立と中間無目とが交差する部分の斜視図である。
【図７】本発明のパネル体の一実施形態に係るビル用サッシの屋外側正面図である。
【符号の説明】
【００２０】
１ａ，１ｂ  ガラスパネル（パネル）
２  中間方立材
３  中間方立用の竪押縁
４  中間方立用の竪目板
５  左側パネル押さえ片
６  右側パネル押さえ片
７  中間方立の目地溝
８  端部方立材
９  方立補助材
１０  端部方立用の竪目板
１１  端部方立用の竪押縁
１２  パネル押さえ片
１３  端部方立用の竪目板の屋外側壁
１４  方立補助材の見込み壁
１５  端部方立用の竪押縁の見込み壁
１６  端部方立の目地溝
１７  中間無目材
１８  横目板
１９  横押縁
２０  垂下壁
２１  中間無目材の下部見込み壁（中間無目材の見込み壁）
２２  下パネル押さえ片
２３  横目板の屋外側壁
２４  横押縁の見込み壁
２５  上パネル押さえ片
２６  中間無目の目地溝
９５，９６，９７  パネル押さえ片の基端部
【図１】
2006342635.tif 000003
【図２】
2006342635.tif 000004
【図３】
2006342635.tif 000005
【図４】
2006342635.tif 000006
【図５】
2006342635.tif 000007
【図６】
2006342635.tif 000008
【図７】
2006342635.tif 000009